(57)【要約】      （修正有）【課題】自動車のエンジン室におけるサーバーモータを収容するスタビライザを提供すること。【解決手段】棒状の主体１０を有し、主体の両端に連接部１１が枢設されると共に、該連接部の他端にサーバーモータ１２を収容するため取付孔を有する取付部１３が連接され、該連接部が取付部の側辺と連接すると共に、主体と両端におけるサーバーモータを一直線の位置に位置させた。【選択図】図１
0003104921.tif 000002
【実用新案登録請求の範囲】
【請求項１】
棒状の主体を有し、主体の両端に連接部が枢設されると共に、該連接部の他端にサーバーモータを収容するため取付孔を有する取付部が連接され、
該連接部が取付部の側辺と連接すると共に、主体と両端におけるサーバーモータが一直線の位置に位置することを特徴とする、
スタビライザ。
【請求項２】
棒状の主体を有し、主体の両端に連接部が枢設されると共に、該連接部の他端にサーバーモータを収容するため取付孔を有する取付部が連接され、
該連接部が取付部の中央と連接すると共に、主体と両端におけるサーバーモータが一直線の位置に位置することを特徴とする、
スタビライザ。
【請求項３】
棒状の主体を有し、主体の両端に連接部が枢設されると共に、該連接部の他端にサーバーモータを収容するため取付孔を有する取付部が連接され、
該連接部が取付部の側辺と連接すると共に、主体の両端が偏心のようにサーバーモータの一側に位置することを特徴とする、
スタビライザ。
【考案の詳細な説明】
【技術分野】
【０００１】
本考案は、特に自動車のエンジン室におけるサーバーモータを収容するスタビライザに関するものである。
【背景技術】
【０００２】
自動車は走行時の安定性を向上するためにエンジン室の内部にスタビライザを設置することにより、廻り際の車体全体の揺れの現象が低下する。このようなスタビライザの両端が前輪の上方における車体のエンジン室に設けることにより、運転中の車体の安定性が向上する。
【考案の開示】
【考案が解決しようとする課題】
【０００３】
しかしながら、前記従来のスタビライザは両端に車体のエンジン室と連接するために連接部が設けられ、この連接部に固定部材（例えばボルトなど）を貫通するため固定孔だけが形成される。エンジン室にクッションの強さを調整するためサーバーモータが設置される場合、従来のスタビライザではサーバーモータを収容することができない。
【０００４】
そこで、考案されたのが本考案であって、自動車のエンジン室におけるサーバーモータを収容するスタビライザを提供することを目的としている。
【課題を解決するための手段】
【０００５】
本願に係る第１の考案は、棒状の主体を有し、主体の両端に連接部が枢設されると共に、該連接部の他端にサーバーモータを収容するため取付孔を有する取付部が連接され、該連接部が取付部の側辺と連接すると共に、主体と両端におけるサーバーモータは一直線の位置に位置することを特徴とするスタビライザ及び、
本願に係る第２の考案は、棒状の主体を有し、主体の両端に連接部が枢設されると共に、該連接部の他端にサーバーモータを収容するため取付孔を有する取付部が連接され、該連接部が取付部の中央と連接すると共に、主体と両端におけるサーバーモータは一直線の位置に位置することを特徴とするスタビライザ及び、
本願に係る第３の考案は、棒状の主体を有し、主体の両端に連接部が枢設されると共に、該連接部の他端にサーバーモータを収容するため取付孔を有する取付部が連接され、該連接部が取付部の側辺と連接すると共に、主体の両端が偏心のようにサーバーモータの一側に位置することを特徴とするスタビライザ、を提供する。
【考案の効果】
【０００６】
本考案は上記の課題を解決するものであり、主体の両端にサーバーモータを収容する取付部が設けられ、エンジン室にクッションの強さを調整するためのサーバーモータを収容することにより、車体全体の安定性を向上させることができる。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１は本考案に係るスタビライザの第一実施例を示す斜視図であり、図２は本考案に係るスタビライザの第二実施例を示す斜視図である。図３は本考案に係るスタビライザの第三実施例を示す斜視図であり、図４は本考案に係るスタビライザの第四実施例を示す斜視図である。図５は本考案に係るスタビライザの第五実施例を示す斜視図であり、図６は本考案に係るスタビライザの第六実施例を示す斜視図である。図７は本考案に係るスタビライザの第七実施例を示す斜視図である。
【０００９】
図１に示すように、本考案に係るスタビライザの第一実施例を説明する。
スタビライザは棒状の主体（１０）を有し、主体（１０）の両端に連接部（１１）が枢設されると共に、該連接部（１１）の他端にサーバーモータ（１２）を収容するため取付部（１３）が連接され、該連接部（１１）が取付部（１３）の側辺と連接する。本実施例の取付部（１３）はリング状プレートであり、該リング状プレートにボルトなどの固定部材（符号なし）を設置するため取付孔（１３０）が形成されていると共に、主体（１０）と両端におけるサーバーモータ（１２）は一直線の位置に位置する。
【００１０】
図２に示すように、本考案に係るスタビライザの第二実施例を示す。
スタビライザは棒状の主体（２０）を有し、主体（２０）の両端に連接部（２１）が枢設されると共に、該連接部（２１）の他端にサーバーモータ（２２）を収容するため取付部（２３）が連接され、該連接部（２１）が取付部（２３）の側辺と連接する。本実施例の取付部（２３）はＣ字形のプレートであり、該Ｃ字形のプレートにボルトなどの固定部材（符号なし）を設置するため取付孔（２３０）が形成されると共に、主体（２０）と両端におけるサーバーモータ（２３）は一直線の位置に位置する。
【００１１】
図３に示すように、本考案に係るスタビライザの第三実施例を示す。
スタビライザは棒状の主体（３０）を有し、主体（３０）の両端に連接部（３１）が枢設されると共に、該連接部（３１）の他端にサーバーモータ（３２）を収容するため取付部（３３）が連接され、該連接部（３１）が取付部（３３）の中央と連接する。本実施例の取付部（３３）はリング状プレートであり、該リング状プレートにボルトなどの固定部材（符号なし）を設置するため取付孔（３３０）が形成されると共に、主体（３０）と両端におけるサーバーモータ（３２）は一直線の位置に位置する。
【００１２】
図４に示すように、本考案に係るスタビライザの第四実施例を示す。
スタビライザは棒状の主体（４０）を有し、主体（４０）の両端に連接部（４１）が枢設されると共に、該連接部（４１）の他端にサーバーモータ（４２）を収容するため取付部（４３）が連接され、該連接部（４１）が取付部（４３）の中央と連接する。本実施例の取付部（４３）はＣ字形のプレートであり、該Ｃ字形のプレートにボルトなどの固定部材（符号なし）を設置するため取付孔（４３０）が形成されると共に、主体（４０）と両端におけるサーバーモータ（４２）は一直線の位置に位置する。
【００１３】
図５に示すように、本考案に係るスタビライザの第五実施例を示す。
スタビライザは棒状の主体（５０）を有し、主体（５０）の両端に連接部（５１）が枢設されると共に、該連接部（５１）の他端にサーバーモータ（５２）を収容するため取付部（５３）が連接され、該連接部（５１）が取付部（５３）の側辺と連接する。本実施例の取付部（５３）はＣ字形のプレートであり、該Ｃ字形のプレートにボルトなどの固定部材（符号なし）を設置するため取付孔（５３０）が形成されると共に、主体（５０）の両端が偏心のようにサーバーモータ（５２）の一側に位置する。
【００１４】
図６に示すように、本考案に係るスタビライザの第六実施例を示す。
スタビライザは棒状の主体（６０）を有し、主体（６０）の両端に連接部（６１）が枢設されると共に、該連接部（６１）の他端にサーバーモータ（６２）を収容するため取付部（６３）が連接され、該連接部（６１）が取付部（６３）の側辺と連接し、本実施例の取付部（６３）はリング状プレートであり、該リング状プレートにボルトなどの固定部材（符号なし）を設置するため取付孔（６３０）が形成されると共に、主体（６０）の両端が偏心のようにサーバーモータ（６２）の一側に位置する。
【００１５】
図７に示すように、本考案に係るスタビライザの第七実施例を示す。
スタビライザは棒状の主体（７０）を有し、主体（７０）の両端に連接部（７１）が枢設されると共に、該連接部（７１）の他端にサーバーモータ（７２）を収容するため取付部（７３）が連接され、該連接部（７１）が取付部（７３）の側辺と連接する。本実施例の取付部（７３）はＣ字形のプレートであり、該Ｃ字形のプレートにボルトなどの固定部材（符号なし）を設置するため取付孔（７３０）が形成されると共に、主体（７０）の両端が偏心のようにサーバーモータ（７２）の一側に位置する。
【００１６】
又、前記連接部の高さは必要に応じて適度に調整することができ、図面に示す高さに係らず、他の高さ又は実施形態に変更しても良い。
【図面の簡単な説明】
【００１７】
【図１】本考案に係るスタビライザの第一実施例を示す斜視図である。
【図２】本考案に係るスタビライザの第二実施例を示す斜視図である。
【図３】本考案に係るスタビライザの第三実施例を示す斜視図である。
【図４】本考案に係るスタビライザの第四実施例を示す斜視図である。
【図５】本考案に係るスタビライザの第五実施例を示す斜視図である。
【図６】本考案に係るスタビライザの第六実施例を示す斜視図である。
【図７】本考案に係るスタビライザの第七実施例を示す斜視図である。
【符号の説明】
【００１８】
１０        主体
１１        連接部
１２        サーバーモータ
１３        取付部
１３０      取付孔
２０        主体
２１        連接部
２２        サーバーモータ
２３        取付部
２３０      取付孔
３０        主体
３１        連接部
３２        サーバーモータ
３３        取付部
３３０      取付孔
４０        主体
４１        連接部
４２        サーバーモータ
４３        取付部
４３０      取付孔
５０        主体
５１        連接部
５２        サーバーモータ
５３        取付部
５３０      取付孔
６０        主体
６１        連接部
６２        サーバーモータ
６３        取付部
６３０      取付孔
７０        主体
７１        連接部
７２        サーバーモータ
７３        取付部
７３０      取付孔
【図１】
0003104921.tif 000003
【図２】
0003104921.tif 000004
【図３】
0003104921.tif 000005
【図４】
0003104921.tif 000006
【図５】
0003104921.tif 000007
【図６】
0003104921.tif 000008
【図７】
0003104921.tif 000009